(57)【要約】【課題】動画再生の制御を動画ファイルの再構築なしに実現できる画像処理装置を提供する。【解決手段】画像処理装置は、画像ファイルの再生条件を生成する再生条件生成手段と、再生条件を画像ファイルと関連づけて、画像ファイルと異なる管理ファイルに記録する再生条件記録手段と、画像ファイルの再生方法を前記画像ファイルに関連づけられた再生条件に基づいて制御しながら、画像ファイルを再生する再生手段とを備える。再生条件は、画質調整、音量調整、表示倍率、再生速度調整のうち少なくとも一つを示す情報である。【選択図】図２
2011147119.tif 000002
【特許請求の範囲】
【請求項１】
画像ファイルの再生条件を生成する再生条件生成手段と、
前記再生条件を画像ファイルと関連づけて、前記画像ファイルと異なる管理ファイルに記録する再生条件記録手段と、
画像ファイルの再生方法を前記画像ファイルに関連づけられた再生条件に基づいて制御しながら、前記画像ファイルを再生する再生手段と
を備え、
前記再生条件は、画質調整、音量調整、表示倍率、再生速度調整のうち少なくとも一つを示す情報である、
ことを特徴とする画像処理装置。
【請求項２】
ユーザーが操作を行う操作手段をさらに備え、
前記再生条件生成手段は、前記操作手段において前記画像ファイルの再生時に行われた操作に基づいて前記再生条件を生成する、
ことを特徴とする請求項１に記載の画像処理装置。
【請求項３】
前記再生条件生成手段は、前記画像ファイルの再生時に、前記画像ファイルに含まれる画像信号および／または音声信号に基づいて前記再生条件を生成する、
ことを特徴とする請求項１に記載の画像処理装置。
【請求項４】
前記再生条件生成手段は、前記画像ファイルに関連付けて記録された撮影情報に基づいて前記再生条件を生成する、
ことを特徴とする請求項１に記載の画像処理装置。
【請求項５】
前記撮影情報は、画像ファイル記録時のシャッタースピード及び／または絞り値を含むことを特徴とする請求項４に記載の画像処理装置。
【請求項６】
外部から情報を入力する入力手段をさらに備え、
前記再生条件生成手段は、前記入力手段を介して入力された情報に基づいて前記再生条件を生成する、
ことを特徴とする請求項１に記載の画像処理装置。
【請求項７】
前記記録手段は、一の画像ファイルに対して複数の再生条件を関連付けて記録する、
ことを特徴とする請求項１に記載の画像処理装置。
【請求項８】
被写体を撮像して生成した画像ファイルを記録媒体に記録する画像記録手段をさらに備えた、ことを特徴とする請求項１に記載の画像処理装置。
【請求項９】
画像ファイルは動画ファイルである、ことを特徴とする請求項１に記載の画像処理装置。
【請求項１０】
コンピュータ読み取り可能なプログラムであって、
前記コンピュータに、
画像ファイルの再生条件を生成する機能と、
前記再生条件を画像ファイルと関連づけて、前記画像ファイルと異なる管理ファイルに記録する機能と、
画像ファイルの再生方法を前記画像ファイルに関連づけられた再生条件に基づいて制御しながら、前記画像ファイルを再生する機能と
を実行させ、
前記再生条件は、画質調整、音量調整、表示倍率、再生速度調整のうち少なくとも一つを示す情報である、
ことを特徴とする画像処理プログラム。
【発明の詳細な説明】
【技術分野】
【０００１】
本発明は、管理ファイルに基づき画像ファイルの再生を制御する画像処理装置、及びそのような管理ファイルを生成する画像処理装置に関する。
【背景技術】
【０００２】
近年普及しているデジタルカメラなどの撮像装置は、メモリカードなどの記録媒体において、様々な形式の静止画や動画を記録することができる。例えば、デジタルカメラにおいて、静止画のみならず、ＡＶＣＨＤ（Ａｄｖａｎｃｅｄ  Ｖｉｄｅｏ  Ｃｏｄｅｃ  Ｈｉｇｈ  Ｄｅｆｉｎｉｔｉｏｎ）規格により規定された動画を記録することができる。
【０００３】
ＡＶＣＨＤ規格のような動画記録のための規格においては、動画本体を格納するストリームファイル（動画ファイル）と、その動画の付帯情報を格納するナビファイル（管理ファイル）とを記録するものがある。例えば、ＡＶＣＨＤ規格では、ナビファイル内に拡張情報領域が設けられており、その中に撮影時の記録条件などが記録される。
【０００４】
一方、撮影された動画を再生するときに、動画再生装置の特性に適した動画の再生を行ないたいという要望がある。このような要望を実現する先行技術文献として特許文献１がある。特許文献１は、動画再生装置の表示サイズ、表示範囲、画質、色成分、フレームレートの設定に従って、画像送信装置から動画再生装置に動画を送り出す動画再生システムを提案している。
【０００５】
また、従来、静止画のＥｘｉｆ情報と同様に、動画撮影時のシャッタースピードや絞りの情報などを記録して、再生時や編集時に撮影情報として利用可能にする動画記録再生装置も開発されている。
【先行技術文献】
【特許文献】
【０００６】
【特許文献１】特開２００４−２５４１３３号公報
【発明の概要】
【発明が解決しようとする課題】
【０００７】
特許文献１に記載の動画再生システムでは、動画ファイルを他の装置や他の記録媒体に移動させる時に、再生条件を同時に移動させることが考慮されておらず、ユーザにとって利便性が悪い。また、撮影情報を記録する動画記録再生装置については、記録された撮影情報だけでは、ユーザーが要望する再生を実現するためには不十分であることが多く、再生条件の設定に対してユーザの不満が残る。例えば、撮影情報だけでは、動画再生中の特定の期間だけ特定の被写体を拡大したいというようなユーザーの要望を反映することは困難である。
【０００８】
また、ユーザーの再生に関する要望を反映させる方法として、ストリームファイルを、ユーザーの要望を反映させるように編集を行った後、再エンコードすることにより再構築する方法もある。しかし、ＡＶＣＨＤ規格の場合、ストリームファイルの再構築には大きな演算能力が必要であり、組み込み機器に使用しているＣＰＵでは非常に時間がかかり負荷が大きくなる。
【０００９】
ストリームファイルの再構築を伴う編集を行った場合、一回の編集に対して一つのストリームファイルが生成されるため、再生条件を変えて複数回の編集を行うと複数個のストリームファイルが生成され、記録媒体の使用容量が大きくなってしまう。
【００１０】
本発明は、上記の課題を解決するためになされたものであり、画像ファイルの再構築なしに画像再生時の再生条件の設定を可能とする画像処理装置を提供することを目的とする。
【課題を解決するための手段】
【００１１】
本発明の第１の態様において、画像ファイルの再生条件を生成する再生条件生成手段と、再生条件を画像ファイルと関連づけて、画像ファイルと異なる管理ファイルに記録する再生条件記録手段と、画像ファイルの再生方法を画像ファイルに関連づけられた再生条件に基づいて制御しながら、画像ファイルを再生する再生手段とを備える、画像処理装置が提供される。再生条件は、画質調整、音量調整、表示倍率、再生速度調整のうち少なくとも一つを示す情報である。
【００１２】
本発明の第２の態様において、コンピュータ読み取り可能なプログラムであって、コンピュータに、画像ファイルの再生条件を生成する機能と、再生条件を画像ファイルと関連づけて、画像ファイルと異なる管理ファイルに記録する機能と、画像ファイルの再生方法を画像ファイルに関連づけられた再生条件に基づいて制御しながら、画像ファイルを再生する機能とを実行させるプログラムが提供される。再生条件は、画質調整、音量調整、表示倍率、再生速度調整のうち少なくとも一つを示す情報である。
【発明の効果】
【００１３】
上記態様によれば、画像再生時に使用する再生条件を動画ファイルとは別の管理ファイルに記録する。この構成により、画像ファイルを再構築することなく、画像再生のための再生条件を設定することが可能になる。
【図面の簡単な説明】
【００１４】
【図１】実施の形態に係るデジタルカメラの外観図
【図２】実施の形態に係るデジタルカメラのブロック図
【図３】記録媒体内のフォルダ構成を示す図
【図４】プレイリストファイルの構成を示す図
【図５】実施の形態に係るデジタルカメラの第１の例の動作を示すフローチャート
【図６】実施の形態に係るデジタルカメラの第２の例の動作を示すフローチャート
【図７】再生条件に関する情報の更新、削除、複製、追加を説明するための図
【発明を実施するための形態】
【００１５】
実施の形態１
以下、添付の図面を参照し、実施の形態に係るデジタルカメラについて説明する。
【００１６】
１．デジタルカメラの構成
１．１  外観
図１は、実施の形態に係るデジタルカメラの外観図である。図１（ａ）は正面図であり、図１（ｂ）は背面図である。実施の形態に係るデジタルカメラ１００は、静止画のみならず、ＡＶＣＨＤ規格によって規定された動画も記録でき、また、静止画及び動画を再生することができる。デジタルカメラ１００は、動作モードとして、静止画や動画を再生するための再生モードと、静止画や動画を撮影するための撮影モードとを有する。さらに、デジタルカメラ１００は、撮影モードとして、静止画を撮影するための静止画撮影モードと、動画を撮影するための動画撮影モードとを有する。
【００１７】
デジタルカメラ１００の正面には、撮像光学系１０１とフラッシュ１０２が配されている。撮像光学系１０１は、被写体像をデジタルカメラ１００内の撮像素子に結像させる。フラッシュ１０２は、静止画撮影モードにおいて、暗所での撮影の場合に、閃光を発して撮影光量の不足を補う。
【００１８】
デジタルカメラ１００の上面には、シャッターボタン１０３が配されている。静止画撮影モードにおいて、シャッターボタン１０３が押下されると、撮像素子に結像した光学像に基づく電気信号が静止画ファイルとしてメモリカードなどの記録媒体に記録される。
【００１９】
また、動画撮影モードにおいて、シャッターボタン１０３が押下されると、動画ファイルの記録が開始される。すなわち、撮像素子に結像した光学像に基づく電気信号が、順次、動画ファイルとして記録媒体に記録される。その後、再度、シャッターボタン１０３が押下されると、動画ファイルの記録が終了する。同時に、記録媒体に管理ファイルが記録される。具体的には、記録媒体に管理ファイルが存在しない場合は、記録媒体に新たに管理ファイルが作成され、記録媒体に管理ファイルが既に存在する場合は、管理ファイルが追加、更新される。
【００２０】
管理ファイルは、撮影時間や動画ファイルのプロファイル情報などを格納する。また管理ファイルは、拡張情報領域として使用できる領域を有し、その領域に、シャッタースピードや絞り値などの撮影情報を記録することができる。また、本実施形態のデジタルカメラ１００については、管理ファイルの拡張情報領域に、再生条件に関する情報も記録されることができる。
【００２１】
デジタルカメラ１００の下面には、記録媒体を装着するスロット１０８が配されている。デジタルカメラ１００を用いて静止画および動画を撮影した場合、静止画ファイルと動画ファイルは、記録媒体内の異なるフォルダに格納される。
【００２２】
デジタルカメラ１００の背面には、図１（ｂ）に示すように、液晶モニター１０４、モードダイヤル１０５、各種操作ボタン１０６が配されている。液晶モニター１０４には、静止画撮影モードまたは動画撮影モードのとき、撮像素子に結像した光学像に基づく画像が、順次、表示される。したがって、液晶モニター１０４に表示された画像を確認しながら撮影のための構図を決定することができる。また、再生モードにおいて、記録媒体に記録された静止画ファイルに基づく静止画や動画ファイルに基づく動画が、液晶モニター１０４に表示され得る。
【００２３】
モードダイヤル１０５は、静止画撮影モード、動画撮影モードおよび再生モードを切り替えるためのダイヤル式のスイッチである。モードダイヤル１０５を操作することによって、デジタルカメラ１００の動作モードを決定することができる。前述のように、デジタルカメラ１００の動作モードには、静止画撮影モード、動画撮影モードおよび再生モードがある。
【００２４】
静止画撮影モードは、シャッターボタン１０３が押下されたときに、撮像素子に結像した光学像に基づく電気信号を、静止画ファイルとして記録媒体に記録する動作モードである。
【００２５】
動画撮影モードは、シャッターボタン１０３が一旦押下されたときに、再度シャッターボタン１０３が押下されるまでの間、撮像素子に結像した光学像に基づく電気信号を、順次、動画ファイルとして記録媒体に記録する動作モードである。
【００２６】
再生モードは、記録媒体に記録された静止画ファイルに基づく静止画や動画ファイルに基づく動画を液晶モニター１０４に表示する動作モードである。再生モードでは、静止画ファイルのサムネイル画像と動画ファイルの代表画像を示すサムネイル画像とを混在させて、撮影日時順に並べて液晶モニター１０４に表示することができる。液晶モニター１０４に表示されたサムネイル画像を選択することによって、表示を切り替えることもできる。具体的には、静止画ファイルのサムネイル画像が選択された場合は、選択された静止画ファイルに基づく静止画が液晶モニター１０４に表示され、動画ファイルの代表画像を示すサムネイル画像が選択された場合は、選択された動画ファイルに基づく動画が再生される。
【００２７】
動画の再生時には、管理ファイルに記録された再生条件に関する情報に基づき、管理ファイルに関連付けられた動画ファイルの再生を制御することができる。再生条件は、動画ファイルに対応して設定され、動画ファイル（すなわち動画ファイルに含まれる画像データや音声データ）の再生において、画像及び／または音声の全部または一部の再生を制御するための情報である。例えば、再生条件は、画像及び／または音声の全部または一部について、ズーム処理、表示画角の変更、色調補正、明るさ補正、音量補正、再生速度の変更を示す情報を含む。
【００２８】
各種操作ボタン１０６は、液晶モニター１０４にメニュー画面を表示するためのメニューボタン１０６ｂ、メニュー画面における項目を選択するために上下左右にカーソルを移動させる上下左右ボタン１０６ａ、メニュー画面においてカーソルが存在する項目の決定を指示する決定ボタン１０６ｂ（メニューボタン１０６ｂと兼用）、液晶モニター１０４上のＯＳＤ（Ｏｎ  Ｓｃｒｅｅｎ  Ｄｉｓｐｌａｙ）表示項目を切り替えるための表示切替ボタン１０６ｃ、不要な静止画ファイルまたは動画ファイルの削除を指示する削除ボタン１０６ｄから構成される。動画ファイルが削除されると、この削除にともない管理ファイルが更新される。
【００２９】
これらの操作ボタン１０６を操作することによって、静止画撮影モード、動画撮影モードおよび再生モードにおけるさらに詳細な設定をすることができる。特に、再生モードでは、各種操作ボタン１０６の操作によって再生条件に関する情報を動画ファイルに関連付けて設定することができる。また、一つの動画ファイルに複数の再生条件に関する情報を関連付けて設定することもできる。設定された再生条件に関する情報は、管理ファイルに記録される。さらに、設定された再生条件に関する情報を複製したり、削除したり、更新したりすることができる。
【００３０】
１．２  内部構成
図２は、本実施の形態に係るデジタルカメラ１００のブロック図である。本実施の形態に係るデジタルカメラは、記録媒体２０５としてメモリカードを採用する。
【００３１】
操作部２０６は、ユーザーの指示を制御部２０２に出力する。制御部２０２は、操作部２０６から出力されたユーザーの指示にしたがって、撮像部２０１、信号処理部２０３、出力制御部２０７、及び記録制御部２０４を制御し、静止画及び動画の撮影、再生などの処理を実行する。
【００３２】
表示部２０９は例えば液晶モニター１０４で構成され、撮像素子に結像した光学像に基づく画像や、記録媒体２０５に記録されている静止画ファイルや動画ファイルの再生画像、撮影や再生に関する設定を行うメニュー画面などを表示する。
【００３３】
音声出力部２１０はスピーカを含み、音声入力部２１１を介して入力された音声や、記録媒体２０５に記録されている動画ファイルから再生された音声を出力する。出力制御部２０７は、表示部２０９の表示及び音声出力部２１０の音声出力を制御する。
【００３４】
撮像部２０１は、ＣＣＤ（Ｃｈａｒｇｅ  Ｃｏｕｐｌｅｄ  Ｄｅｖｉｃｅ）などの撮像素子から構成され、制御部２０２の指示にしたがって、光学像を電気信号に変換し、信号処理部２０３に出力する。音声入力部２１１は、入力した音声を音声信号に変換し、信号処理部２０３に出力する。
【００３５】
信号処理部２０３は、動画撮影モードにおいて、撮像部２０１から、順次、出力される電気信号に対して、ＭＰＥＧ（Ｍｏｖｉｎｇ  Ｐｉｃｔｕｒｅ  Ｅｘｐｅｒｔｓ  Ｇｒｏｕｐ）圧縮などの圧縮処理を行い、圧縮された動画ファイルを記録制御部２０４に出力する。
【００３６】
さらに、信号処理部２０３は、静止画撮影モードおよび動画撮影モードにおいて、撮像部２０１から順次出力される電気信号を、ＹＣ信号のような表示部２０９が表示できる信号に変換し、出力制御部２０７に出力する。
【００３７】
さらに、信号処理部２０３は、再生モードにおいて、記録制御部２０４から出力される記録媒体２０５内の静止画ファイルを伸張し、出力制御部２０７に出力する。また、記録制御部２０４から出力される記録媒体２０５内の動画ファイルを伸張し、出力制御部２０７に出力する。
【００３８】
また、信号処理部２０３は、静止画撮影モードおよび動画撮影モードにおいて、音声入力部２１１から順次、出力される電気信号に対して所定の信号処理を行い、出力制御部２０７に出力する。また、信号処理部２０３は、再生モードにおいて、記録媒体２０５に格納された動画ファイルに含まれる音声信号を伸張し、出力制御部２０７に出力する。
【００３９】
記録制御部２０４は、信号処理部２０３から出力された静止画ファイルまたは動画ファイルを記録媒体２０５に記録する。記録制御部２０４はまた、制御部２０２の指示にしたがって、記録媒体２０５から静止画ファイルまたは動画ファイルを読み出し、信号処理部２０３に出力する。さらに、記録制御部２０４は、制御部２０２の指示にしたがって、記録媒体２０５内の管理ファイルを読み出し、制御部２０２に出力する。
【００４０】
再生条件制御部２０８は、動画撮影モード時に撮像部２０１から撮影時の撮影情報を取得し、管理ファイルの形式に変換し、さらに、記録制御部２０４を通して管理ファイル形式の撮影情報を動画ファイルに関連付けて、記録媒体２０５に記録させる。再生条件制御部２０８は、再生モードにおいて動画を再生する時に、記録制御部２０４によって記録媒体２０５から読み出された管理ファイルから撮影時の撮影情報を取り出し、取り出した撮影情報を、出力制御部２０７を通して表示部２０９に表示させる。
【００４１】
また、再生条件制御部２０８は、再生モードにおいて、操作部２０６から、動画ファイルに関連付けて設定された動画再生時の再生条件に関する情報を取得し、管理ファイルの形式に変換する。そして、再生条件制御部２０８は、管理ファイル形式の再生条件に関する情報を動画ファイルに関連付けて、記録制御部２０４によって記録媒体２０５に記録させる。再生モードにおいて動画を再生する時に、再生条件制御部２０８は、再生が指定された動画ファイルに関連付けられた再生条件に関する情報が管理ファイルに記録されている場合、記録媒体２０５から読み出された管理ファイルから、再生条件に関する情報を取り出し、制御部２０２に出力する。制御部２０２は、再生条件に関する情報にしたがって信号処理部２０３と出力制御部２０７を制御する。
【００４２】
２．フォルダ構成
図３は、記録媒体２０５内のフォルダ構成を示す図である。同図において、フォルダ名は四角形によって囲まれているが、ファイル名は四角形によって囲まれていない。ＲＯＯＴフォルダの下位には、ＰＲＩＶＡＴＥフォルダが作成されている。なお、ＲＯＯＴフォルダの下位には、静止画ファイルが格納されるＤＣＩＭフォルダも作成されているが、図３では、その記載を省略している。ＤＣＩＭフォルダは、ＤＣＦ（Ｄｅｓｉｇｎ  ｒｕｌｅ  ｆｏｒ  Ｃａｍｅｒａ  Ｆｉｌｅ  ｓｙｓｔｅｍ）規格によって規定されたフォルダであり、撮影した静止画ファイルが格納される。
【００４３】
ＰＲＩＶＡＴＥフォルダの下位には、ＡＶＣＨＤフォルダが作成されている。ＡＶＣＨＤフォルダの下位には、ＢＤＭＶフォルダが作成されている。
【００４４】
ＢＤＭＶフォルダの下位には、ＳＴＲＥＡＭフォルダが作成されている。ＳＴＲＥＡＭフォルダには、動画ファイルが格納される。０００００．ｍｔｓファイルは、動画ファイルである。
【００４５】
ＢＤＭＶフォルダの下位には、さらにＣＬＩＰＩＮＦフォルダが作成されている。ＣＬＩＰＩＮＦフォルダには、クリップ情報ファイルが格納される。０００００．ｃｐｉファイルは、クリップ情報ファイルである。クリップ情報ファイルは、動画ファイルと一対一に対応し、対応する動画ファイルの撮影時間などの情報を記録している。
【００４６】
ＢＤＭＶフォルダの下位には、さらにＰＬＡＹＬＩＳＴフォルダが作成されている。ＰＬＡＹＬＩＳＴフォルダには、プレイリストファイルが格納される。０００００．ｍｐｌファイルは、プレイリストファイルである。プレイリストファイルは、再生する動画ファイルと、再生開始点および再生終了点などの情報を含む。動画ファイルの再生は、このプレイリストファイルに基づき制御される。
【００４７】
図４に、プレイリストファイルの詳細な構成を示す。プレイリストファイルは、ブロック「ｂｌｋＡｐｐＩｎｆｏＰｌａｙＬｉｓｔ（）」、ブロック「ｂｌｋＰｌａｙＬｉｓｔ（）」、ブロック「ｂｌｋＰｌａｙＬｉｓｔＭａｒｋ（）」、ブロック「ｂｌｋＥｘｔｅｎｓｉｏｎＤａｔａ（）」を有する。
【００４８】
ブロック「ｂｌｋＡｐｐＩｎｆｏＰｌａｙＬｉｓｔ（）」には、プレイリストファイルのタイプ、再生制限などの情報が記録される。ブロック「ｂｌｋＰｌａｙＬｉｓｔ（）」には、プレイリスト情報が記録される。ブロック「ｂｌｋＰｌａｙＬｉｓｔＭａｒｋ（）」には、トラックジャンプなどでジャンプするポイントがトラックマークとして記録される。ブロック「ｂｌｋＥｘｔｅｎｓｉｏｎＤａｔａ（）」には、プレイリストファイルに関する拡張データが記録される。
【００４９】
プレイリストファイルのブロック「ｂｌｋＥｘｔｅｎｓｉｏｎＤａｔａ（）」には、拡張情報領域として、１２８ｂｉｔ固定長のＭａｋｅｒｓＩｎｆｏｒｍａｔｉｏｎと呼ばれる領域と、可変長のＭａｋｅｒｓＰｒｉｖａｔｅＤａｔａと呼ばれる領域とが定義されている。この領域には、動画ファイルの撮影情報などが記録される場合が多い。本実施の形態に係るデジタルカメラ１００は、ＭａｋｅｒｓＩｎｆｏｒｍａｔｉｏｎ領域またはＭａｋｅｒｓＰｒｉｖａｔｅＤａｔａ領域に動画ファイルに関連付けられた再生条件に関する情報を記録する。
【００５０】
図３に戻り、ＢＤＭＶフォルダには、ＩＮＤＥＸ．ｂｄｍファイル、ＭＯＶＩＥＯＢＪ．ｂｄｍファイルおよびＡＶＣＨＤＴＮフォルダが格納されるが、これらのファイルについては説明を省略する。
【００５１】
３．動作
本実施の形態に係るデジタルカメラ１００の動作例を説明する。
【００５２】
３．１  第１の動作例
図５（ａ）、（ｂ）を参照して、本実施の形態に係るデジタルカメラ１００の第１の動作例を説明する。
【００５３】
３．１．１  動画撮影モード時の動作
図５（ａ）のフローチャートは、第１の動作例における、動画撮影モードで画像・音声信号を記録する際のデジタルカメラ１００の処理を示す。
【００５４】
本処理では、画像・音声信号の記録と同時に、画像・音声信号が解析され、適正な再生を実現するための制御信号（以下「再生制御信号」という）が抽出される（Ｓ１６）。抽出された再生制御信号は再生条件に関する情報に変換され（Ｓ１７）、記録媒体２０５に記録される（Ｓ１８）。
【００５５】
より具体的には、撮像部２０１は画像を撮像して画像信号を生成し、同時に、音声入力部２１１は入力した音声から音声信号を生成する（Ｓ１１）。信号処理部２０３は、生成した画像・音声信号に対して所定の信号処理を施し（Ｓ１２）、記録制御部２０４を介して、信号処理した画像・音声信号を記録媒体２０５に記録する（Ｓ１３）。再生条件制御部２０８は、撮像部２０１から撮影情報を取得し（Ｓ１４）、記録媒体２０５に記録する（Ｓ１５）。さらに、再生条件制御部２０８は、生成された画像・音声信号を解析して、適正な再生を行うための再生制御信号を生成する（Ｓ１６）。再生条件制御部２０８は、生成した再生制御信号を再生条件に関する情報に変換し（Ｓ１７）、再生条件に関する情報を記録媒体２０５に記録する（Ｓ１８）。
【００５６】
ここで、画像・音声取得処理（Ｓ１１）、画像・音声信号処理（Ｓ１２）、画像・音声信号の記録媒体２０５への記録処理（Ｓ１３）および撮影情報取得処理（Ｓ１４）、撮影情報の記録媒体２０５への記録処理（Ｓ１５）は、従来の動画記録再生装置においても行なわれている一般的な処理である。本実施の形態に係るデジタルカメラ１００は、画像・音声信号より再生制御信号を生成し（Ｓ１６）、再生制御信号を再生条件に関する情報に変換して（Ｓ１７）、撮影情報とは別に記録媒体２０５に記録する（Ｓ１８）点に特徴を有する。
【００５７】
以下、再生制御信号の生成（Ｓ１６）及び再生条件に関する情報への変換（Ｓ１７）に関して、具体的に説明する。例えば、画像信号においてある時刻から別の時刻まで人間の顔を検出した時は、ある時刻から別の時刻まで画像信号に人間の顔が含まれることを示す再生制御信号が生成される。この再生制御信号は、ある時刻から別の時刻まで肌色が美しく再生されるように色調補正を行うことを示す再生条件に関する情報に変換される。また、音声信号において、ある時刻から別の時刻まで風切り音が検出された時は、ある時刻から別の時刻まで音声信号に風切り音が含まれることを示す再生制御信号が生成される。この再生制御信号は、ある時刻から別の時刻まで再生の音量を所定レベル以下に小さくすることを示す再生条件に関する情報に変換される。また、音声信号レベルの最大値と最小値の差が所定値より大きいことを検出した時は、そのことを示す再生制御信号が生成される。この再生制御信号は、音声信号の全体に亘って再生音量のレベルを一定にすることを示す再生条件（すなわち、元の音声信号レベルが第１の所定値よりも大きいときは再生の音量をより小さくし、元の音声信号レベルが第２の所定値（＜第１の所定値）よりも小さいときは再生の音量をより大きくするという再生条件）に関する情報に変換される。さらに、画像信号の輝度が所定値よりも高いこと（または所定値よりも低いこと）を検出した時は、ある時刻から別の時刻まで画像信号の輝度が所定値よりも高いこと（または所定値よりも低いこと）を示す再生制御信号が生成される。この再生制御信号は、ある時刻から別の時刻まで輝度を下げる（または上げる）ことを示す再生条件に関する情報に変換される（Ｓ１７）。
【００５８】
３．１．２  再生モード時の動作
図５（ｂ）のフローチャートを参照して、第１の動作例における、再生モードにおいて動画を再生する時のデジタルカメラ１００の処理を説明する。
【００５９】
再生モードにおいて動画を再生する時は、記録制御部２０４が、記録媒体２０５より、画像・音声信号を読み出す（Ｓ２１）。再生条件制御部２０８は、記録媒体２０５（管理ファイル）から、再生する動画に対応づけられた再生条件に関する情報を読み出す（Ｓ２２）。制御部２０２は、読み出した再生条件に関する情報にしたがって、信号処理部２０３と出力制御部２０７を制御して、画像・音声信号の再生を行う（Ｓ２３）。
【００６０】
例えば、再生条件が、時刻ｔ１から時刻ｔ２まで肌色が美しく再生されるように色調補正を行うことを示す再生条件であるとき、制御部２０８は、この再生条件にしたがい、時刻ｔ１から時刻ｔ２まで肌色が美しく再生されるよう色調補正が行われるように、信号処理部２０３と出力制御部２０７を制御する。これにより、時刻ｔ１から時刻ｔ２までの間、色調補正が行われた画像が表示部２０９に表示される。また、再生条件が、時刻ｔ１から時刻ｔ２まで再生の音量を所定のレベルに設定することを示す再生条件であれば、制御部２０８は、この再生条件にしたがい、時刻ｔ１から時刻ｔ２まで再生の音量を所定のレベルになるように信号処理部２０３と出力制御部２０７を制御する。これにより、時刻ｔ１から時刻ｔ２までの間、所定の音量レベルの音声が音声出力部２１０から出力される。
【００６１】
制御部２０２は出力制御部２０７を制御し、動画再生時において撮影情報を表示部２０９に表示させる（Ｓ２４）。なお、撮影情報は必ずしも表示部２０９に表示される必要はない。
【００６２】
３．２  第２の動作例
図６（ａ）〜（ｃ）のフローチャートを参照し、本実施の形態に係るデジタルカメラ１００の第２の動作例を説明する。図６（ａ）〜（ｃ）のフローチャートが示す処理では、動画撮影モードで画像・音声信号を記録媒体２０５に記録するときには再生条件に関する情報は記録しない。その代わりに、再生モードにおいて動画を再生する時に行なうズーム操作のような、再生のためのユーザー操作を示す信号を再生制御信号として抽出し（Ｓ４３）、抽出した再生制御信号を再生条件に関する情報に変換し（Ｓ４４）、記録媒体２０５に記録する（Ｓ４５）。
【００６３】
３．２．１  動画撮影モード時の動作
図６（ａ）のフローチャートは、第２の動作例における、動画撮影モードで画像・音声信号を記録する際のデジタルカメラ１００の処理を示す。図６（ａ）のフローチャートのステップＳ３１〜Ｓ３５は図５（ａ）のフローチャートのステップＳ１１〜Ｓ１５にそれぞれ対応する。具体的な内容は既に説明済みであるので、ここでの説明は省略する。ここで、留意すべき点は、第２の動作例においては、動画撮影モードにおいて、再生条件に関する情報を生成も記録も行っていない点が第１の動作例と異なる点である。
【００６４】
３．２．２  再生モードにおける再生条件の記録動作
図６（ｂ）のフローチャートは、第２の動作例における、再生モードにおける再生条件の記録に関するデジタルカメラ１００の処理を示す。
【００６５】
再生モードにおいて動画を再生する場合、記録制御部２０４は、記録媒体２０５より、画像・音声信号を読み出し（Ｓ４１）、読み出された画像・音声信号の再生が行なわれる（Ｓ４２）。その後、ユーザーにより再生を制御するための操作（例えば、表示画像を拡大又は縮小するズーム操作）があると、再生制御部２０２は、制御部２０２を介して、その操作内容を指示する信号を受信し、その操作内容を指示する信号の内容に応じて、適正な再生を行うための再生制御信号を生成する（Ｓ４３）。そして、再生制御部２０２は、その再生制御信号を再生条件に関する情報に変換し（Ｓ４４）、その情報を記録媒体２０５に記録する（Ｓ４５）。
【００６６】
例えば、再生モードでの動画再生時において、ユーザーが再生制御のための操作として、表示画像を拡大又は縮小するズーム操作を行なった場合、ある時刻から別の時刻までユーザーがズーム操作を行なったことを示す再生制御信号が生成される（Ｓ４３）。この再生制御信号は、ある時刻から別の時刻までズーム操作を行なうという再生条件に関する情報に変換される（Ｓ４４）。または、ユーザーがスロー再生を行った場合は、ある時刻から別の時刻までユーザーがスロー再生を行なったことを示す再生制御信号が生成される（Ｓ４３）。この再生制御信号は、ある時刻から別の時刻までスロー再生を行なうという再生条件に関する情報に変換される（Ｓ４４）。または、ユーザーが音量を上げる操作を行なった場合は、ある時刻から別の時刻までユーザーが音量を上げる操作を行なったことを示す再生制御信号が生成される（Ｓ４３）。この再生制御信号は、ある時刻からある時刻まで音量を上げるという再生条件に関する情報に変換される（Ｓ４４）。
【００６７】
なお、以上説明した例では、再生モードにおける動画再生時に、ユーザーが実際に行なった操作に基いて再生制御信号を生成し、これを再生条件に関する情報に変換した。しかし、ユーザーが実際に行った操作に基づかないで再生制御信号を生成してもよい。例えば、再生に対するユーザーの要望を設定するためのＧＵＩ（Ｇｒａｐｈｉｃａｌ  Ｕｓｅｒ  Ｉｎｔｅｒｆａｃｅ）を提供し、ＧＵＩを介して入力したユーザーの要望を示す情報を、再生条件に関する情報に変換できるようにしてもよい。
【００６８】
例えば、「ある時刻から別の時刻までは音声をミュートしたいというユーザーの要望」、「ある時刻から別の時刻までの動画において、特定の被写体を除いた部分をぼかしたい」、「シーンの変わり目においてフェードイン・フェードアウトを行いたい」というユーザーの要望をＧＵＩにて設定できるようにしてもよい。そして、ＧＵＩ上でそのような要望が設定されたときに、設定された要望に基づき、再生条件に関する情報を生成するようにしてもよい。
【００６９】
３．２．３  再生モードにおける再生動作
図６（ｃ）のフローチャートは、第２の動作例における、再生モードにおいて動画を再生する時のデジタルカメラ１００の処理を示す。図６（ｃ）のフローチャートのステップＳ５１〜Ｓ５４は図５（ｂ）のフローチャートのステップＳ２１〜Ｓ２４にそれぞれ対応する。具体的な内容は既に説明済みであるので、ここでの説明は省略する。
【００７０】
なお、ＡＶＣＨＤ規格においては、画像・音声信号（動画ファイル）は、ＳＴＲＥＡＭフォルダに格納される。再生条件に関する情報は、ＳＴＲＥＡＭフォルダに格納される動画ファイルと関連付けて、ＰＬＡＹＬＩＳＴフォルダに格納されるプレイリストファイルのブロック「ｂｌｋＥｘｔｅｎｓｉｏｎＤａｔａ（）」に含まれる拡張情報領域であるＭａｋｅｒｓＩｎｆｏｒｍａｔｉｏｎ領域またはＭａｋｅｒｓＰｒｉｖａｔｅＤａｔａ領域に記録される。このように再生条件に関する情報は、画像・音声信号（動画ファイル）とは別のプレイリストファイル（管理ファイル）に記録されていることにより、再生モードでの動画再生において、再生開始時に、再生条件に関する情報を使用するか否かを選択できるようにすることもできる。
【００７１】
図６（ａ）〜（ｃ）のフローチャートにしたがい動作するデジタルカメラ１００では、既に記録されている再生条件に関する情報を更新することもできる。このとき、すべての再生条件に関する情報を更新するのではなく、一部の再生条件に関する情報を更新することもできる。このことにより、例えば、音声信号に関する再生条件に関する情報は更新せずに、画像信号に関する再生条件に関する情報のみを更新することも可能になる。
【００７２】
また、図６（ａ）〜（ｃ）のフローチャートにしたがい動作するデジタルカメラ１００では、既に記録されている再生条件に関する情報を削除することもできる。このとき、すべての再生条件に関する情報を削除するのではなく、一部の再生条件に関する情報を削除することもできる。この構成により、例えば音声信号に関する再生条件に関する情報は削除せずに、画像信号に関する再生条件に関する情報のみを削除することも可能になる。
【００７３】
また、図６（ａ）〜（ｃ）のフローチャートにしたがい動作するデジタルカメラ１００では、再生条件に関する情報を、同一の記録媒体２０５内に記録された別の動画ファイルに関連付けた再生条件に関する情報として複製することもできる。このとき、すべての再生条件に関する情報を複製するのではなく、一部の再生条件に関する情報を複製することもできる。このことにより、例えば音声信号に関する再生条件に関する情報は複製せずに、画像信号に関する再生条件に関する情報のみを複製することも可能になる。
【００７４】
また、図６（ａ）〜（ｃ）のフローチャートにしたがい動作するデジタルカメラ１００では、図７に示すように、一つの動画ファイル３００に対して複数の再生条件に関する情報３１２、３１４を記録することもできる。例えば、デジタルカメラ１００のユーザーごとに、または、動画を視聴させる相手ごとに別々の再生に関する情報を記録することができる。
【００７５】
再生条件に関する情報を使用するか否かの設定、再生条件に関する情報の更新、削除、複製の指示、一つの動画ファイルに対する、複数の再生条件に関する情報の記録の指示等は、適切なＧＵＩ設計と適切なファイル管理を実施することにより実現できることは明らかである。
【００７６】
なお、ユーザーの指示により、プレイリストファイル（管理ファイル）に記録された再生条件に関する情報にしたがって、動画ファイルを再構築することも可能である。
【００７７】
４．まとめ
以上のように、本実施の形態に係るデジタルカメラ１００は、画像ファイル（*.mts）の再生条件を生成し、再生条件を画像ファイルと関連づけて画像ファイルと異なる管理ファイル（*.mpl）に記録する再生条件制御部２０８と、画像ファイルの再生方法を画像ファイルに関連づけられた再生条件に基づいて制御しながら、画像ファイルを再生する制御部２０２とを備える。再生条件は、画質調整、音量調整、表示倍率、再生速度調整のうち少なくとも一つを示す情報である。
【００７８】
このように、再生条件に関する情報を動画ファイルとは別の管理ファイルに記録することにより、動画ファイルの再構築なしに動画再生時の再生条件の設定が可能となる。また、他の記録媒体および他の装置への移動や複数の再生条件の設定も容易に行える。また、動画ファイルの再エンコードによる再構築が不要なために、容易に再生条件の反映が可能になる。また、複数ユーザーによる再生条件の設定も可能になる。
【００７９】
その他の実施の形態
以上説明した実施の形態１の思想に対して下記の種々の変更、修正が考えられる。
【００８０】
（１）本実施の形態では、再生条件に関する情報を、プレイリストファイルの拡張情報領域へ記録する例を説明したが、再生条件に関する情報を別の領域に記録してもよい。動画ファイルに対応して設けられる管理ファイルであるＣＬＩＰＩＮＦフォルダに記録されるクリップ情報ファイルにも、拡張情報領域であるＭａｋｅｒｓＰｒｉｖａｔｅＤａｔａ領域が予約されている。よって、その予約された領域に再生条件に関する情報を記録してもよい。この領域に再生条件に関する情報を記録することで、時系列に応じた再生条件に関する情報を容易に記録できるようになる。
【００８１】
（２）再生モードにおいて動画を再生する場合に、再生条件に関する情報が管理ファイルに記録されていないときは、画像・音声信号をそのまま再生するようにしてもよい。
【００８２】
（３）再生条件に関する情報をＡＶＣＨＤ規格外の一時ファイルとして記録してもよい。それにより、再生条件に関する情報のみを一時ファイルとして記録媒体２０５に記録することができる。その一時ファイルを読み出して記録媒体２０５内の動画ファイルに関連付けた再生条件に関する情報として記録することが可能な装置との間で、再生条件に関する情報のみの受け渡しも可能になる。
【００８３】
（４）本実施形態では、再生条件に関する情報を、動画ファイルとは別の管理ファイルに記録している。これにより、単一の動画ファイルに対して複数の再生条件に関する情報をもつことが可能になる。よって、図５（ａ）〜（ｂ）のフローチャートにしたがい動作するデジタルカメラ１００においても、単一の動画ファイルに対して複数の再生条件に関する情報を設定しても良い。この構成により複数のユーザーの再生条件に関する情報を記録することが可能になる。
（５）本実施形態では、動画ファイルに対して再生条件を設定した例を説明したが、再生条件は、動画ファイルのみならず、静止画ファイルに対しても適用できる。静止画の場合、再生条件は、静止画の再生時の画質（輝度、色調、ホワイトバランス等）の調整を指示することが考えられる。例えば、静止画像において人間の顔が含まれる場合、人間の顔が含まれる画像領域において肌色が美しく再生されるように色調補正を行うことを示す再生条件が設定されてもよい。
【００８４】
（６）実施の形態１では、動画記録再生装置の一例としてデジタルカメラを用いて説明した。一方、実施形態１の思想は、フォトビューワやフォトフレーム、動画ファイルを再生できるテレビ受像機やポータブル音楽プレーヤーのような、動画撮影機能を有しない動画ファイルの再生専用の装置（以下「動画再生装置」という）にも適用することができる。
【００８５】
ここで、動画再生装置は、動画撮影モードで画像・音声信号を記録する時に、同時に画像・音声信号の解析を行い再生に適した制御信号を抽出し、抽出した再生制御信号を再生条件に関する情報に変換して記録媒体２０５に記録することができない点において、動画記録再生装置（デジタルカメラ１００）と相違する。
【００８６】
しかし、画像・音声信号の解析は、動画の再生中にも可能である。よって、動画再生装置は、画像・音声信号の解析を行い再生に適した制御信号を抽出し、抽出した再生制御信号を再生条件に関する情報に変換して記録媒体２０５に記録することを、動画再生中に行なうことができる。以上の点から、実施の形態１においてデジタルカメラ１００を例として説明した動画記録再生装置の機能が、動画再生装置においても同様に適用できることは明らかである。
【００８７】
（７）さらに、実施の形態１の思想は、画像の編集機能を備えた画像編集装置に対しても同様に適用できることが明らかである。撮影され記録媒体に記録された画像ファイルに対して、画像ファイルの編集時に再生条件を付加するようにしてもよい。すなわち、実施形態１で示した思想は、画像ファイルの記録、再生、及び／または編集を行う画像処理装置に適用できる。
【００８８】
（８）上述の動画記録装置等の機能は、コンピュータと、コンピュータ上で実行されるソフトウェアとにより実現してもよい。
【産業上の利用可能性】
【００８９】
本発明は、画像（動画、静止画）の再生条件を、画像ファイル本体を直接編集することなく、設定できるため、デジタルカメラやデジタルビデオカメラなどの画像記録装置や、フォトビューワやフォトフレーム、テレビ受像機やポータブル音楽プレーヤーなどの画像再生装置や、パーソナルコンピュータなどの画像編集装置に対して有用である。
【符号の説明】
【００９０】
１００  デジタルカメラ
１０１  撮像光学系
１０２  フラッシュ
１０３  シャッターボタン
１０４  液晶モニター
１０５  モードダイヤル
１０６  各種操作ボタン
１０６ａ  上下左右ボタン
１０６ｂ  メニュー／決定ボタン
１０６ｃ  表示切替ボタン
１０６ｄ  削除ボタン
１０８  スロット
２０１  撮像部
２０２  制御部
２０３  信号処理部
２０４  記録制御部
２０５  記録媒体
２０６  操作部
２０７  出力制御部
２０８  再生条件制御部
２０９  表示部
【図１】
2011147119.tif 000003
【図２】
2011147119.tif 000004
【図３】
2011147119.tif 000005
【図４】
2011147119.tif 000006
【図５】
2011147119.tif 000007
【図６】
2011147119.tif 000008
【図７】
2011147119.tif 000009